(57)【要約】      （修正有）【課題】歯付ベルトのピッチライン（心線中心）をプーリーのピッチライン（円）により近付けることにより、プーリーとの噛合いが良好で、心線の疲労が少ない歯付ベルトを提供する。【解決手段】心線４を有する歯付ベルトにおいて、歯付ベルトの歯底８に、前記心線を支持するための凹み部６を複数個設けた。【選択図】図３
2008296445.tif 000002
【特許請求の範囲】
【請求項１】
心線（４）を有する歯付ベルトにおいて、歯付ベルトの歯底（８）に、に前記心線（４）を支持するための凹み部（６）を前記歯底（８）の各々に複数個設けたことを特徴とする歯付ベルト。
【請求項２】
前記凹み部（６）が前記歯底（８）の歯部（７）の裾野近傍に各々設けられていることを特徴とする請求項１記載の歯付ベルト。
【請求項３】
歯付金型（３）を備えた装置で歯付ベルトを製造する方法において、前記歯付金型（３）の凹み部形成突起（３１）の各々に、心線（４）を保持するための突起（３１１）を複数個設け、前記突起（３１１、３１１）により前記心線（４）を保持しつつ歯付ベルトを製造することを特徴とする歯付ベルトの製造方法。
【請求項４】
前記凹み部形成突起（３１）における前記突起（３１１、３１１）は、前記凹み部形成突起（３１）の周方向両端に位置することを特徴とする請求項３記載の歯付ベルトの製造方法。
【発明の詳細な説明】
【技術分野】
【０００１】
本発明は、歯付ベルト及び歯付ベルトの製造方法に関する。
また、本発明は、プーリーとの噛合いが良好な歯付ベルト及び歯付ベルトの製造方法に関する。
更に、本発明は、歯付ベルトのピッチライン（心線中心）をプーリーのピッチライン（円）により近付けることにより、心線の疲労が少ない歯付ベルト及び歯付ベルトの製造方法に関する。
【背景技術】
【０００２】
従来、歯付ベルトを製造する場合の一例を、図１および図４に示す。
この装置は、図１に示すように、基本的には三個の回転ローラ１、１、１と、上側の二つの回転ローラ１、１相互間に配設され、且つ、図４に示す様に、凹み部形成突起３１の先端周面の略中央に、軸方向に伸びる一本の突起３１１を有する歯付金型３と、これら回転ローラ１，１を利用して張設されたベルト２とから構成されている。
【０００３】
ここで、図上下側の回転ローラ１はベルト２用のテンションローラとし機能し、このローラにより不使用時には、ベルト２が歯付金型３の歯先に圧接し、液状の弾性材が歯付金型３とベルト２との間隙Ｘに流し込まれた使用状態のときには、これら相互間に弾性材が挟まって一定の距離が保たれるようにしてある。
【０００４】
この装置では、図１に示すように、歯付金型３とベルト２との間に心線４を挿入介在させ、ベルト２を回転させるべく回転ローラ１を回転させながら、間隙Ｘに液状の弾性材を流し込むようにして歯付ベルト５を完成させる。
完成した歯付ベルト５は、突起３１１の存在により、図４に示す如く心線４が位置決めされた状態で埋設された（歯底面から一定の距離を有する）ものとなっている。
【０００５】
しかしながら、上記歯付ベルトは、凹み部形成突起３１の先端周面の略中央に、軸方向に伸びる一本の突起３１１と、心線４とが当接する態様で製造されていくことから、図４に示す如く、心線４は多角形（多角化）となっている。
そして、凹み部形成突起３１の数が少なく成る程、多角化の傾向は強くなる。
このため、歯付ベルトのピッチライン（心線中心）がプーリーのピッチライン（円）と大きく異なってくるため、プーリーとの噛合いが悪く、心線の疲労が大きい問題を惹起していた。
【０００６】
また、この種の問題を解決するために、心線に樹脂を被覆したものを使用する歯付ベルトが提案された（特開平０７−３０８９７４号公報）。
しかし、製造コストが嵩み現実的ではなかった。
【０００７】
【特許文献１】特開平０７−３０８９７４号公報
【発明の開示】
【発明が解決しようとする課題】
【０００８】
本発明は、このような課題に鑑みてなされたものであり歯付ベルトのピッチライン（心線中心）をプーリーのピッチライン（円）に、より近付けることにより、プーリーとの噛合いが良好で、心線の疲労が少ない歯付ベルトを提供することである。
【課題を解決するための手段】
【０００９】
本発明の歯付ベルトは、心線を有する歯付ベルトにおいて、歯付ベルトの歯底に、前記心線を支持するための凹み部を前記歯底の各々に複数個設けたことを特徴とする。
【発明の効果】
【００１０】
本発明は、以下に記載されるような効果を奏する。
請求項１記載の発明の歯付ベルトによれば、耐久性の良好な歯付ベルトとすることが出来る。
また、請求項２記載の発明の歯付ベルトによれば、歯底の周方向幅を最大限に生かす事が出来る。
【００１１】
更に、請求項３記載の発明の歯付ベルトの製造方法によれば、歯付ベルトのピッチライン（心線中心）をプーリーのピッチライン（円）により近付けることが出来る。
更に、請求項４記載の発明の歯付ベルトの製造方法によれば、歯底の幅を最大限に生かす事が出来る。
【発明を実施するための最良の形態】
【００１２】
以下、本発明を実施するための最良の形態について説明する。
第１図及び第２図に基づき、発明を実施するための一例について説明する。
この種歯付ベルトの製造方法は、回転ローラ１で張設されたスチール製のベルト２と、このベルト２に対して一定の角度分だけ接触させた歯付金型３とを備えた装置で歯付ベルトを製造するものである。
【００１３】
そして、歯付金型３の凹み部形成突起３１の各々に、心線４を保持するための突起３１１を、周方向両端に位置する形で２個設け、この凹み部形成突起３１の各々に設けた2個の突起３１１、３１１により心線４を保持しつつ歯付金型３を回転させ、ついで、ベルト２と歯付金型３との間隙Xに液状弾性材を流し込むことにより歯付ベルトを製造する。
心線４は、スチールコードやアラミド繊維等が使用されるが、本発明に係る歯付ベルトでは、心線にスチールコードを使用した。
また、心線４は、複数本が互いに平行で、等間隔に歯付金型3上に巻きついて存在する。
【００１４】
液状弾製材としては、各種のゴム状若しくは樹脂状弾性材が使用されるが、本発明に係る歯付ベルトの製造方法では、ウレタンゴムを使用した。
一般的に、歯付金型の凹み部形成突起３１の数が大きいほど、巻きつけられた心線４は円に近づくが、凹み部形成突起３１の数が少なく成る程、多角化（心線の折れ曲がる割合）の傾向が強くなり、理想とする円から心線中心が離れていくが、本発明によれば、この傾向を鈍化させることが出来る。
すなわち、凹み部形成突起３１の周方向幅と、凹み部形成突起３１間の窪みの周方向幅が同じと仮定すると、本発明の歯付ベルトによれば、約2倍の凹み部形成突起３１の数のものに匹敵する真円度が得られる。
また、本発明に係る歯付ベルトは、歯付ベルトの歯底５に、成形時に心線４を支持するための凹み部６を複数個設けている。
そして、この凹み部６は、歯底５の歯部７の裾野近傍に各々設ける態様としている。
このことにより、歯底の幅を最大限に生かす事が出来る。
【００１５】
また、本発明は上述の発明を実施するための最良の形態に限らず本発明の要旨を逸脱することなくその他種々の構成を採り得ることはもちろんである。
【図面の簡単な説明】
【００１６】
【図１】歯付ベルトの製造方法の一例を示す装置の概念図である。
【図２】本発明にかかる歯付ベルトが製造される一例を示した装置の部分断面図である。
【図３】本発明にかかる歯付ベルトの部分断面図である。
【図４】従来技術にかかる歯付ベルトが製造される一例を示した装置の部分断面図である。
【符号の説明】
【００１７】
１      回転ローラ
２      ベルト
３      歯付金型
４      心線
５      歯付ベルト
６      凹み部
７      歯部
８      歯底
３１    凹み部形成突起
３１１  突起
【図１】
2008296445.tif 000003
【図２】
2008296445.tif 000004
【図３】
2008296445.tif 000005
【図４】
2008296445.tif 000006